(57)【要約】【課題】簡易かつ小型な構成で照明ＮＡを連続的に変化させることができるとともに、照明ＮＡを絞った場合の照明光量の低減を抑制して利用効率を向上させることができ、標本の観察に対して常に最適な照明ＮＡを設定できること。【解決手段】照明装置１００は、光源１１が発した照明光を集光して対物レンズ３の瞳面３ａ上に光源像を結像する照明レンズ１２を備え、対物レンズ３を介して標本１をケーラー照明する。この照明装置１００において、照明レンズ１２および光源１１の少なくとも一方は、光源１１から照明レンズ１２に至る光軸距離を変更自在に配設され、照明レンズ１２は、変更された光軸距離に応じて光源１１の光源像の結像倍率を変化させる。【選択図】        図１−１
2007127816.tif 000002
【特許請求の範囲】
【請求項１】
光源が発した照明光を集光して光源像を結像する結像レンズを備え、前記光源像の近傍に瞳面を有する集光レンズを介して前記照明光を標本に照射する照明装置において、
前記結像レンズおよび前記光源の少なくとも一方は、該光源から該結像レンズに至る光軸距離を変更自在に配設され、前記結像レンズは、前記光軸距離に応じて前記光源像の結像倍率を変化させることを特徴とする照明装置。
【請求項２】
前記結像レンズは、前記光源の１次光源像を前記光源像として結像し、前記集光レンズは、前記１次光源像の近傍に瞳面を有することを特徴とする請求項１に記載の照明装置。
【請求項３】
前記照明光を集光して前記光源の１次光源像を開口絞り上に結像するリレーレンズを備え、
前記結像レンズは、前記開口絞りから該結像レンズに至る部分光軸距離を変更自在に配設され、前記開口絞りを通過した照明光を集光して前記光源像を結像するとともに、前記部分光軸距離に応じて前記光源像の結像倍率を変化させることを特徴とする請求項１に記載の照明装置。
【請求項４】
前記光源または前記結像レンズの少なくとも一方を移動させることによって前記光軸距離を自在に変更する移動機構を備えたことを特徴とする請求項１〜３のいずれか一つに記載の照明装置。
【請求項５】
前記光源は、ランプ、ＬＥＤまたは前記照明光を導光する導光部材であることを特徴とする請求項１〜４のいずれか一つに記載の照明装置。
【請求項６】
前記導光部材は、１以上のファイバ素線を用いて形成された光ファイバであることを特徴とする請求項５に記載の照明装置。
【請求項７】
前記結像レンズは、複数のレンズ群を用いて構成され、該複数のレンズ群内の１以上のレンズ群が個別に前記光軸距離を変更自在に保持されたことを特徴とする請求項１〜６のいずれか一つに記載の照明装置。
【請求項８】
前記照明光は、紫外光であることを特徴とする請求項１〜７のいずれか一つに記載の照明装置。
【請求項９】
請求項１〜８のいずれか一つに記載の照明装置を備えたことを特徴とする顕微鏡。
【発明の詳細な説明】
【技術分野】
【０００１】
本発明は、観察する標本を照明する照明装置およびこの照明装置を備えた顕微鏡に関する。
【背景技術】
【０００２】
一般に、標本を照明して観察する顕微鏡では、対物レンズが有する最大の開口数（ＮＡ：Numerical Aperture）と等しく照明光の開口数（照明ＮＡ）を設定した場合、最も分解能の高い標本像を得られるが、コントラストは低くなる。また、この状態から照明ＮＡを絞ると、コントラストは向上するが、分解能は低下する。分解能の低下を抑えつつ良好なコントラストを得る照明ＮＡは、対物レンズが有する最大ＮＡの８０％程度とされている。このため顕微鏡では、従来、照明装置内に絞り径が可変な開口絞りを備え、交換自在な対物レンズや観察条件等に応じて開口絞りの絞り径を変更し、照明ＮＡを適宜調整するようにしている（例えば、特許文献１参照）。
【０００３】
図９は、このような従来技術にかかる顕微鏡の概要構成を示す模式図である。図９に示す顕微鏡は、標本１０１が載置されたステージ１０２と、標本１０１の上部に対向配置された対物レンズ１０３と、対物レンズ１０３を介して標本１０１に照明光を照射する照明光学系が搭載された投光管本体１０５と、を備える。対物レンズ１０３は、他の対物レンズと交換自在にレボルバ１０４に保持されており、レボルバ１０４と投光管本体１０５とは、架台としての顕微鏡本体１０６に配設されている。また、ステージ１０２は、平面駆動機構１０７を介して顕微鏡本体１０６に取り付けられている。なお、投光管本体１０５内に設けられたハーフミラー１１６の上部には、標本１０１の観察像を形成する図示しない観察光学系が配設されている。
【０００４】
照明光学系は、光源１１１、コリメートレンズ１１２、集光レンズ１１３、開口絞り１１４、照明レンズ１１５、ハーフミラー１１６を用いて構成されている。光源１１１は、ハロゲンランプ等のランプの発光部であって、投光管本体１０５の後端部に取り付けられたランプハウス１０８内に保持されている。コリメートレンズ１１２は、光源１１１が発した照明光を平行光束に変換し、集光レンズ１１３は、コリメートレンズ１１２からの平行光束を開口絞り１１４上に集光して光源１１１の１次光源像を結像する。
【０００５】
照明レンズ１１５は、１次光源像からの照明光を、ハーフミラー１１６の反射光路上に配置された対物レンズ１０３の後側焦点面である瞳面１０３ａ上に集光し、光源１１１の２次光源像を所定倍率で結像する。この２次光源像は、瞳面１０３ａの共役位置近傍に配置された開口絞り１１４の絞り径に応じた絞り像によって、その大きさが制限されている。このように照明光学系はケーラー照明光学系として構成され、２次光源からの照明光によって標本１０１を対物レンズ１０３を介して均一に照明する。
【０００６】
開口絞り１１４は、例えば図１０に示すように、複数の羽根部材１１４ａによって構成された虹彩絞りとして形成され、絞り開閉機構１１７と一体に保持される。絞り開閉機構１１７は、連動機構１１７ａと回動部材１１７ｂとを用いて構成されている。連動機構１１７ａは、回転駆動されることによって複数の羽根部材１１４ａを連動して摺動し、全体として渦動させるようにして開口部１１４ｂの口径（絞り径）を連続的に変化させる。回動部材１１７ｂは、連動機構１１７ａの外縁部に噛合して接続され、突出部１１７ｃにおける外部からの回転動作に応じて連動機構１１７ａを回転駆動する。
【０００７】
このように構成された従来技術にかかる顕微鏡では、対物レンズ１０３が有する最大ＮＡ、標本１０１に適した観察条件等に応じて開口絞り１１４の絞り径が変更され、標本１０１に対する照明ＮＡ、すなわち照明光学系により瞳面１０３ａ上に形成される２次光源像の大きさが適宜調整される。
【０００８】
【特許文献１】特開平７−２５３５４７号公報
【特許文献２】特開２００１−１５４１０３号公報
【発明の開示】
【発明が解決しようとする課題】
【０００９】
ところが、上述した従来技術にかかる顕微鏡では、光源と照明レンズとの間の光路中に１次光源像を結像して開口絞りを配設する必要があり、コリメートレンズ、集光レンズ、絞り径が可変な開口絞り等を配設するためのスペースが光軸方向および光軸を囲む周辺部に必要となって、照明装置および顕微鏡に対する小型化要求に応えることが困難であるという問題があった。また、配設する部品点数が多く複雑な構造を有することが、装置の小型化をさらに阻害する要因となっていた。
【００１０】
これに対して、例えば特許文献２には、複数のＬＥＤを２次元的に円状に配列して光源とし、ＬＥＤの点灯範囲（個数）を変化させることによって照明ＮＡを変化させる照明装置が開示されている。この照明装置よれば、全ＬＥＤを点灯した場合に照明ＮＡを最大とし、周辺部のＬＥＤを消灯して中央部のＬＥＤのみ点灯させることにより照明ＮＡを絞ることができ、開口絞り等を用いることなく簡易かつ小型な構成で照明ＮＡを変更可能な照明装置が実現できる。
【００１１】
しかしながら、特許文献２に示された照明装置では、ＬＥＤの点灯数によって照明ＮＡを変更しているため、調整可能な照明ＮＡが段階的であり、観察条件に最適な照明ＮＡが得られない場合が生じるという問題があった。また、複数のＬＥＤを用いて光源が構成されるため、各ＬＥＤの発光輝度差によって均一な照明が得られ難いという問題があった。
【００１２】
また、照明ＮＡを絞った場合に、特許文献１に示された照明装置では、開口絞りによって光源が発した照明光の一部を通過制限し、特許文献２に示された照明装置では、光源のＬＥＤの一部を消灯するようにしているため、照明ＮＡを最大とした場合に比して照明光量が低減されるという問題があった。
【００１３】
本発明は、上記に鑑みてなされたものであって、簡易かつ小型な構成で照明ＮＡを連続的に変化させることができるとともに、照明ＮＡを絞った場合の照明光量の低減を抑制して利用効率を向上させることができ、標本の観察に対して常に最適な照明ＮＡを設定することができる照明装置および顕微鏡を提供することを目的とする。
【課題を解決するための手段】
【００１４】
上述した課題を解決し、目的を達成するために、本発明にかかる照明装置は、光源が発した照明光を集光して光源像を形成する結像レンズを備え、前記光源像の近傍に瞳面を有する集光レンズを介して前記照明光を標本に照射する照明装置において、前記結像レンズおよび前記光源の少なくとも一方は、該光源から該結像レンズに至る光軸距離を変更自在に配設され、前記結像レンズは、前記光軸距離に応じて前記光源像の結像倍率を変化させることを特徴とする。
【００１５】
また、本発明にかかる照明装置は、上記の発明において、前記結像レンズは、前記光源の１次光源像を前記光源像として結像し、前記集光レンズは、前記１次光源像の近傍に瞳面を有することを特徴とする。
【００１６】
また、本発明にかかる照明装置は、上記の発明において、前記照明光を集光して前記光源の１次光源像を開口絞り上に結像するリレーレンズを備え、前記結像レンズは、前記開口絞りから該結像レンズに至る光軸距離を変更自在に配設され、前記開口絞りを通過した照明光を集光して前記光源像を結像するとともに、前記部分光軸距離に応じて前記光源像の結像倍率を変化させることを特徴とする。
【００１７】
また、本発明にかかる照明装置は、上記の発明において、前記光源または前記結像レンズの少なくとも一方を移動させることによって前記光軸距離を自在に変更する移動機構を備えたことを特徴とする。
【００１８】
また、本発明にかかる照明装置は、上記の発明において、前記光源は、ランプ、ＬＥＤまたは前記照明光を導光する導光部材であることを特徴とする。
【００１９】
また、本発明にかかる照明装置は、上記の発明において、前記導光部材は、１以上のファイバ素線を用いて形成された光ファイバであることを特徴とする。
【００２０】
また、本発明にかかる照明装置は、上記の発明において、前記結像レンズは、複数のレンズ群を用いて構成され、該複数のレンズ群内の１以上のレンズ群が個別に前記光軸距離を変更自在に保持されたことを特徴とする。
【００２１】
また、本発明にかかる照明装置は、上記の発明において、前記照明光は、紫外光であることを特徴とする。
【００２２】
また、本発明にかかる顕微鏡は、上記の発明のいずれか一つに記載の照明装置を備えたことを特徴とする。
【発明の効果】
【００２３】
本発明にかかる照明装置および顕微鏡によれば、簡易かつ小型な構成で照明ＮＡを連続的に変化させることができるとともに、照明ＮＡを絞った場合の照明光量の低減を抑制して利用効率を向上させることができ、標本の観察に対して常に最適な照明ＮＡを設定することができる。
【発明を実施するための最良の形態】
【００２４】
以下、添付図面を参照して、本発明にかかる照明装置および顕微鏡の好適な実施の形態を詳細に説明する。なお、この実施の形態によりこの発明が限定されるものではない。また、図面の記載において、同一部分には同一の符号を付している。
【００２５】
（実施の形態１）
まず、本発明の実施の形態１にかかる照明装置および顕微鏡について説明する。図１−１は、本実施の形態１にかかる照明装置１００と、この照明装置１００を備えた顕微鏡との概要構成を示す模式図である。図１−１に示すように、本実施の形態１にかかる顕微鏡は、標本１が載置されたステージ２と、標本１の上部に対向配置された対物レンズ３と、対物レンズ３を介して標本１に照明光を照射する照明光学系が搭載された投光管本体５と、を備える。照明装置１００は、投光管本体５と、この投光管本体５に搭載された照明光学系とを用いて構成されている。
【００２６】
対物レンズ３は、他の対物レンズと交換自在にレボルバ４に保持されており、レボルバ４と投光管本体５とは、架台としての顕微鏡本体６に配設されている。ステージ２は、焦準駆動機構７によって上下動し、標本１および対物レンズ３の相対距離を変化させて焦準動作を行う。また、ステージ２は、図示しない平面駆動機構を介して顕微鏡本体１０６に取り付けられており、この平面駆動機構の操作に応じて対物レンズ３の光軸に直交した平面内で標本１を２次元的に移動させる。なお、投光管本体５内に設けられたハーフミラー１３の上部には、標本１の観察像を形成する図示しない観察光学系が配設されている。
【００２７】
照明光学系は、光源１１、照明レンズ１２およびハーフミラー１３を用いて構成されている。光源１１は、水銀ランプ、水銀キセノンランプ、メタルハライドランプ、ハロゲンランプ等の図示しないランプの発光部であって、投光管本体５の後端部（装置背面部）に取り付けられたランプハウス８内に保持され、所定の波長域の光を発する。なお、照明光学系内の光路上には、波長選択フィルタを配設することができ、この波長選択フィルタによって、光源１１が発した光の中から所望する波長域の光、例えば紫外光を照明光として抽出できる。
【００２８】
結像レンズとしての照明レンズ１２は、例えば２群２枚のレンズ群が鏡筒内に嵌合され一体に構成されたレンズであって、全体が光軸方向に移動自在に配設されている。照明レンズ１２は、光源１１が発した照明光を、ハーフミラー１３の反射光路（観察光路）上に配置された対物レンズ３の後側焦点面である瞳面３ａ上に集光して、光源１１の光源像を結像する。
【００２９】
ここで、照明レンズ１２は、図示しない移動機構（例えばスライド機構等）による外部からの操作に基づいたスライド移動等によって光軸方向に連続的に移動され、光源１１から照明レンズ１２に至る光軸に沿った距離（光軸距離）が変更された場合、変更された光軸距離に応じて光源像の結像倍率を変化させる。この結像倍率は、光源１１から照明レンズ１２に至る光軸距離が短く設定された場合に高倍率とされ、長く設定された場合に低倍率とされる。なお、照明レンズ１２のレンズ構成は２群２枚に限定されず、１以上のレンズおよびレンズ群を用いて構成することができる。
【００３０】
このように、照明装置１００が備える照明光学系は、ケーラー照明光学系として構成されており、照明レンズ１２によって結像された光源像からの照明光は、対物レンズ３を介して標本１に照射される。これによって標本１は、光源１１における輝度分布（輝度ムラ）によらずほぼ均一に照明される。なお、この照明光学系は、光源１１から照明レンズ１２に至る光路中に照明光を拡散する拡散板等の拡散部材を備えることができ、この拡散部材によって光源１１における輝度ムラの影響を一層軽減して標本１をより均一に照明することができる。
【００３１】
また、照明装置１００によって照射され標本１によって反射された照明光は、対物レンズ３およびハーフミラー１３を透過し、ハーフミラー１３の上部に配設された図示しない観察光学系を介して標本１の観察像を形成する。形成された観察像は、接眼レンズ、あるいは観察面上に設けられたＣＣＤ等の撮像装置を用いて観察される。
【００３２】
ここで、照明装置１００における照明ＮＡの可変機能（調整機能）について、図１−１および図１−２を参照して説明する。図１−１は、照明ＮＡを最大ＮＡ（最大照明ＮＡ）とした状態の照明装置１００を示し、図１−２は、照明ＮＡを最大照明ＮＡから絞った状態の照明装置１００を示している。
【００３３】
図１−１では、照明レンズ１２は、光軸に沿って移動可能な可動範囲内で光源側に移動されており、光源１１から照明レンズ１２に至る光軸距離が距離Ｌに設定されている。このとき、照明レンズ１２は、可動範囲内における所定の最大結像倍率で光源１１の光源像を瞳面３ａ上に結像する。すなわち、図１−１内の対物レンズ３の拡大図に示すように、瞳面３ａ上に瞳外径φとほぼ等しい光束径で照明光束ＩＬ０を入射させ、瞳外径φとほぼ等しい大きさの光源像ＳＩ０（斜線部）を形成する。これによって照明装置１００は、対物レンズ３が有する最大ＮＡと等しい最大照明ＮＡで標本１をケーラー照明する。
【００３４】
一方、図１−２では、照明レンズ１２は、図１−１に示す状態から可動範囲内でハーフミラー１３側に移動されており、光源１１から照明レンズ１２に至る光軸距離が距離Ｌ’（＞Ｌ）に設定されている。このとき、照明レンズ１２は、最大結像倍率より低倍の距離Ｌ’に応じた結像倍率で光源１１の光源像を、瞳面３ａより光源に近い位置（図１−２では、対物レンズ３の胴付面３ｂの近傍）に結像する。そして、図１−２内の対物レンズ３の拡大図に示すように、瞳面３ａ上に瞳外径φより小さい光束径φ’で照明光ＩＬ１を入射させ、瞳外径φより小さいデフォーカスした光源像ＳＩ１（斜線部）を形成する。これによって照明装置１００は、最大照明ＮＡより小さい光束径φ’に応じた照明ＮＡで標本１をケーラー照明する。
【００３５】
より具体的には、例えば対物レンズ３が倍率１００倍のレンズであって瞳外径φ＝３ｍｍを有し、照明レンズ１２が光源１１から距離Ｌの位置に設置された場合、倍率７．５倍で直径３ｍｍの光源像ＳＩ０が瞳面３ａ上に結像される。また、照明レンズ１２が光源１１から距離Ｌ’の位置に設置された場合、倍率６倍で直径約２．４ｍｍのデフォーカスした光源像ＳＩ１が瞳面３ａ上に形成される。これによって照明装置１００は、照明ＮＡを最大照明ＮＡに対して約５／６（＝２．４／３）倍に絞ることができる。
【００３６】
このようにして照明装置１００では、照明レンズ１２を光軸方向に移動させ、光源１１から照明レンズ１２に至る光軸距離を可動範囲内で連続的に変化させ、光軸距離に応じた結像倍率で光源１１の光源像を瞳面３ａ上に結像することができ、結像した光源像の大きさに応じた照明ＮＡで標本１をケーラー照明することができる。なお、照明レンズ１２の可動範囲と、可動範囲に対応する最大および最小結像倍率と、可動範囲に応じた調整可能範囲における最大および最小照明ＮＡとは、設計値として任意に設定することができる。
【００３７】
また、照明装置１００では、図１−１および図１−２に示したように、調整可能範囲内の任意の照明ＮＡにおいて、光源１１から所定の放射角内に発せられた照明光を絞り等によって制限することなくすべて瞳面３ａ上に入射させ、標本１に照射させることができる。つまり、照明装置１００では、照明ＮＡを絞った場合でも、照明光を制限して照明光量を低減させることなく、最大照明ＮＡと等しい光量で標本１を照明することができ、照明ＮＡによらず光源１１が発する照明光を効率的に利用することができる。
【００３８】
なお、照明レンズ１２の入射面の有効径は、照明レンズ１２を可動範囲内で光源１１から最も離れた位置に設置し照明ＮＡを最小照明ＮＡに設定した場合に、最大照明ＮＡに応じた放射角内に発せられた照明光を制限しない大きさに設定されている。
【００３９】
つぎに、図２−１および図２−２を参照して、照明装置１００における照明ＮＡの調整機能を、光源１１の大きさと照明ＮＡとの対応関係から説明する。図２−１および図２−２は、標本１における光軸上の点Ｏを所定の照明ＮＡで照明する光束を示す図であって、図２−１は、照明レンズ１２を光源１１から距離Ｌの位置に設置して最大照明ＮＡとした状態の照明装置１００を示し、図２−２は、照明レンズ１２を距離Ｌ’の位置に設置して照明ＮＡを最大照明ＮＡから絞った状態の照明装置１００を示している。なお、図２−２では、最大照明ＮＡに対応する光束を破線で示している。
【００４０】
図２−１において、照明光束を標本１から逆追跡すると、点Ｏから最大照明ＮＡで対物レンズ３に入射した光束ＩＦ０は、瞳外径φとほぼ等しい光束径で瞳面３ａを通過し、ハーフミラー１３で反射して照明レンズ１２に入射し、照明レンズ１２の後側焦点ＦＰに集光された後、光源１１に到達する。このとき、光束ＩＦ０は、光源１１上で光源１１とほぼ等しい大きさの光束径となる。これより、最大照明ＮＡに対応した光束ＩＦ０は、光源１１の全面から発する光によって満たされることがわかる。
【００４１】
図２−２において、同様に照明光束を標本１から逆追跡すると、距離Ｌ’に応じた照明ＮＡで点Ｏから対物レンズ３に入射した光束ＩＦ１は、瞳外径φより小さい光源像ＳＩ１とほぼ等しい大きさの光束径で瞳面３ａを通過し、ハーフミラー１３で反射して照明レンズ１２に入射し、照明レンズ１２の後側焦点ＦＰに集光された後、光源１１に到達する。このとき、光束ＩＦ１は、光源１１上で光源１１とほぼ等しい大きさの光束径となる。これより、距離Ｌ’による照明ＮＡに対応した光束ＩＦ１は、光源１１の全面から発する光によって満たされることがわかる。
【００４２】
一方、点Ｏから最大照明ＮＡで対物レンズ３に入射した光束ＩＦ０’は、光束ＩＦ１と同様にして光源１１に到達し、ここで光源１１より大きな光束径となる。これより、最大照明ＮＡに対応した光束ＩＦ０’は、光源１１の全面から発する光によって満たされず、光束周縁部には光が供給されないことがわかる。図２−２では、光束ＩＦ１より外側の光束周縁部（斜線部）に光が供給されず、照明光束が光束ＩＦ１に絞られている。
【００４３】
このように、照明装置１００では、照明レンズ１２を光源１１から距離Ｌの位置に設置した場合に光源１１全面からの光によって最大照明ＮＡの照明を行うことができ、この状態から照明レンズ１２を調整範囲内の任意の距離Ｌ’の位置に移動することによって、従来技術にかかる開口絞りを絞った場合と同様に、照明ＮＡを絞った照明を行うことができる。また、開口絞りを絞った場合と異なり、照明ＮＡを絞った場合でも、光源１１全面からの光によって照明を行うことができ、光源１１が発する照明光を効率的に利用できる。
【００４４】
以上説明したように、本実施の形態１にかかる照明装置１００および顕微鏡では、対物レンズ３の瞳面３ａの近傍に光源１１の光源像を結像する照明レンズ１２を光軸方向に移動自在に配設し、光源１１から照明レンズ１２に至る光軸距離を連続的に変化させることによって、照明光を制限して照明光量を低減させることなく照明ＮＡを連続的に変化させることができ、標本１の観察に対して常に最適な照明ＮＡを設定することができる。
【００４５】
また、照明装置１００では、開口絞りと、開口絞り上に１次光源像を形成するコリメートレンズ等とを用いた光学系を設ける必要がなく、光源１１から照明レンズ１２に至る光路を簡略化して省スペース化を促進させるとともに構成部品点数を削減することができ、全体として簡易かつ小型な構成によって照明ＮＡが可変な照明装置を実現することができる。さらに、構成部品としてコリメートレンズ等の透過ガラス部品の点数を削減することによって、例えば紫外光等、ガラスによる吸収率の高い光を照明光として用いる場合に、コリメートレンズ等の吸収による照明光量の低減を抑制することができ、光源の利用効率を一層向上させることができる。また、このような照明装置を備えた顕微鏡全体でも、省スペース化、構成部品の配置自由度の向上、コスト低減等を実現することができる。
【００４６】
なお、照明装置１００では、照明レンズ１２として１以上のレンズおよびレンズ群を一体に構成したレンズを用いることとしたが、一体構成に限定する必要はなく、例えば複数のレンズ群を用いて照明レンズを構成し、この複数のレンズ群内の１以上のレンズが個別に光軸方向に移動自在であって光源からの光軸距離を変更自在に配設されるようにすることもできる。さらに、このような照明レンズをズームレンズとして焦点距離可変に構成し、光源像の結像倍率を変更した場合にも光源と対物レンズの瞳面とを常に共役関係として光源像を結像させることもできる。また、これら照明レンズを移動させる機構は、スライド機構に限らず、公知の技術を転用した他の機構であってもよい。
【００４７】
（変形例１）
つぎに、本実施の形態１にかかる照明装置および顕微鏡の変形例１について説明する。図３−１は、この変形例１にかかる照明装置２００と、この照明装置２００を備えた顕微鏡との概要構成を示す模式図である。図３−１に示すように、照明装置２００は、上述した照明装置１００をもとに、投光管本体５に替えて投光管本体２５を備え、投光管本体２５は、ランプハウス８および光源１１に替えて、照明光を導光する導光部材としてのファイバライトガイド２２を備える。
【００４８】
ファイバライトガイド２２は、１本の光ファイバ素線、あるいは複数の光ファイバ素線が互いに接着あるいは融着等されバンドル状に形成された光ファイババンドルであって、図示しない水銀ランプ、ハロゲンランプ等のランプが発した光を入射端から受光して導光し、投光管本体２５の後端部に保持された射出端面２１から射出する。照明装置２００では、この射出端面２１が光源として照明装置１００における光源１１と同等に機能する。なお、ファイバライトガイド２２は、ランプが発した光の中から波長選択フィルタ等によって抽出された所望の波長域の照明光のみ受光して導光し、射出端面２１から射出することもできる。
【００４９】
図３−１および図３−２は、それぞれ図２−１および図２−２に対応し、標本１上の点Ｏを所定の照明ＮＡで照明する光束を示す図であって、図３−１は、最大照明ＮＡとした状態の照明装置２００を示し、図３−２は、照明ＮＡを最大照明ＮＡから絞った状態の照明装置２００を示す図である。これより、照明装置２００では、図２−１および図２−２に示した照明装置１００と同様に、照明レンズ１２を射出端面２１から距離Ｌの位置に設置した場合に射出端面２１全面からの光によって最大照明ＮＡの照明を行うことができ、この状態から照明レンズ１２を調整範囲内の任意の距離Ｌ’の位置に移動することによって、照明ＮＡを絞った照明を行うことができる。また、照明ＮＡを絞った場合でも、射出端面２１全面からの光によって照明を行うことができ、照明ＮＡによらず射出端面２１から発せられる照明光を効率的に利用できる。
【００５０】
また、照明装置２００では、照明装置１００が備えたランプハウスを設ける必要がなく、省スペース化を一層促進させることができるとともに、軽量化を実現することができる。また、ファイバライトガイド２２によって、熱源としてのランプハウスを遠隔配置することができるため、照明装置２００を備えた顕微鏡では、ランプハウスに起因した熱膨張等の影響を低減し、安定して高精度に標本１の観察を行うことができる。
【００５１】
なお、照明装置２００は、照明光を導光する導光部材としてファイバライトガイド２２に替えて、ガラス、プラスチック等によって形成され、矩形もしくは円形等の断面を有するロッド状の導光部材を備えることもできる。また、このロッド状の導光部材は、複数のロッド素材が互いに接着あるいは融着等されバンドル状に形成されたものでもよい。
【００５２】
（変形例２）
つぎに、本実施の形態１にかかる照明装置および顕微鏡の変形例２について説明する。図４−１は、この変形例２にかかる照明装置３００と、この照明装置３００を備えた顕微鏡との概要構成を示す模式図である。図４−１に示すように、照明装置３００は、上述した照明装置１００をもとに、投光管本体５に替えて投光管本体３５を備え、投光管本体３５は、ランプハウス８および光源１１に替えて、光源としてのＬＥＤ３２を備える。照明装置３００では、ＬＥＤ３２の発光面３１が光源として照明装置１００における光源１１と同等に機能する。
【００５３】
図４−１および図４−２は、それぞれ図２−１および図２−２に対応し、標本１上の点Ｏを所定の照明ＮＡで照明する光束を示す図であって、図４−１は、最大照明ＮＡとした状態の照明装置３００を示し、図４−２は、照明ＮＡを最大照明ＮＡから絞った状態の照明装置３００を示す図である。これより、照明装置３００では、図２−１および図２−２に示した照明装置１００と同様に、照明レンズ１２を発光面３１から距離Ｌの位置に設置した場合に発光面３１全面からの光によって最大照明ＮＡの照明を行うことができ、この状態から照明レンズ１２を調整範囲内の任意の距離Ｌ’の位置に移動することによって、照明ＮＡを絞った照明を行うことができる。また、照明ＮＡを絞った場合でも、発光面３１全面からの光によって照明を行うことができ、照明ＮＡによらず発光面３１から発せられる照明光を効率的に利用できる。
【００５４】
また、照明装置３００では、照明装置１００に対して照明装置２００と同様の効果を奏するとともに、光源にＬＥＤ３２を用いることで、省スペース化および軽量化を一層促進させることができ、さらに、消費電力の低下を図れるという効果を奏する。
【００５５】
（実施の形態２）
つぎに、本発明の実施の形態２にかかる照明装置および顕微鏡について説明する。上述した実施の形態１では、照明レンズ１２を光軸方向に移動自在に配設し、光源から照明レンズ１２に至る光軸距離を変化させるようにしたが、本実施の形態２では、光源を光軸方向に移動させることによって、光源から照明レンズに至る光軸距離を変化させるようにしている。
【００５６】
図５−１は、本実施の形態２にかかる照明装置４００と、この照明装置４００を備えた顕微鏡との概要構成を示す模式図である。図５−１に示すように、照明装置４００は、上述した照明装置１００をもとに、投光管本体５に替えて投光管本体４５を備え、投光管本体４５は、ランプハウス８および光源１１に替えて、保持部材４６に保持されたファイバライトガイド２２を備えるとともに、照明レンズ１２に替えて照明レンズ１２’を備える。その他の構成は、実施の形態１と同じであり、同一構成部分には同一符号を付している。
【００５７】
ファイバライトガイド２２は、図示しない水銀ランプ、ハロゲンランプ等のランプ光源が発した光を入射端から受光して導光し、光源としての射出端面２１から射出する。射出端面２１は、保持部材４６を介して投光管本体４５の後端部に配設されている。保持部材４６は、投光管本体４５の後端部に嵌合され、光軸方向に移動自在に取り付けられている。これによって、射出端面２１は、保持部材４６に対する外部からの操作に基づいたスライド移動等によって光軸方向に連続的に移動可能であり、射出端面２１から照明レンズ１２’に至る光軸距離を連続的に変化させることができる。
【００５８】
照明レンズ１２’は、照明装置１００における照明レンズ１２を固定配置したものであって、照明レンズ１２と同様に、射出端面２１が発した照明光を対物レンズ３の瞳面３ａ上に集光し、光源像として射出端面２１の射出端面像を結像する。ここで、照明レンズ１２’は、射出端面２１が光軸方向に移動され、射出端面２１から照明レンズ１２’に至る光軸距離が変更された場合、変更された光軸距離に応じて射出端面像の結像倍率を変化させる。この結像倍率は、射出端面２１から照明レンズ１２’に至る光軸距離が短く設定された場合に高倍率とされ、長く設定された場合に低倍率とされる。照明レンズ１２’によって結像された射出端面像からの照明光は、対物レンズ３を介して標本１に均一にケーラー照明される。
【００５９】
図５−１および図５−２は、それぞれ図２−１および図２−２に対応し、標本１上の点Ｏを所定の照明ＮＡで照明する光束を示す図であって、図５−１は、最大照明ＮＡとした状態の照明装置４００を示し、図５−２は、照明ＮＡを最大照明ＮＡから絞った状態の照明装置４００を示す図である。これより、照明装置４００では、図２−１および図２−２に示した照明装置１００と同様に、射出端面２１を照明レンズ１２’から距離Ｌの位置に設置した場合に射出端面２１全面からの光によって最大照明ＮＡの照明を行うことができ、この状態から射出端面２１を調整範囲内の任意の距離Ｌ’の位置に移動することによって、照明ＮＡを絞った照明を行うことができる。また、照明ＮＡを絞った場合でも、射出端面２１全面からの光によって照明を行うことができ、照明ＮＡによらず射出端面２１から発せられる照明光を効率的に利用できる。
【００６０】
以上説明したようにして、本実施の形態２にかかる照明装置４００および顕微鏡では、対物レンズ３の瞳面３ａの近傍に射出端面２１の射出端面像を光源像として結像する固定配置した照明レンズ１２’に対して、射出端面２１を光軸方向に移動自在に配設し、射出端面２１から照明レンズ１２’に至る光軸距離を連続的に変化させることによって、照明光を制限して照明光量を低減させることなく照明ＮＡを連続的に変化させることができ、標本１の観察に対して常に最適な照明ＮＡを設定することができる。
【００６１】
また、照明装置４００では、照明装置１００が備えたランプハウスを設ける必要がなく、省スペース化を一層促進させることができるとともに、軽量化を実現することができる。また、照明レンズ１２’を固定配置し射出端面２１を光軸方向に移動自在に配設して構成したことによって、照明装置１００において照明レンズ１２を移動自在に構成した場合に比べて、照明装置構成の全体的な自由度が向上する。また、ファイバライトガイド２２によって、熱源としてのランプハウスを遠隔配置することができるため、照明装置４００を備えた顕微鏡では、ランプハウスに起因した熱膨張等の影響を低減し、安定して高精度に標本１の観察を行うことができる。
【００６２】
（変形例）
つぎに、本実施の形態２にかかる照明装置および顕微鏡の変形例について説明する。図６−１は、この変形例にかかる照明装置５００と、この照明装置５００を備えた顕微鏡との概要構成を示す模式図である。図６−１に示すように、照明装置５００は、上述した照明装置４００をもとに、投光管本体４５に替えて投光管本体５５を備え、投光管本体５５は、保持部材４６に保持されたファイバライトガイド２２に替えて、保持部材５６に保持されたＬＥＤ３２を備える。照明装置５００では、ＬＥＤ３２の発光面３１および保持部材５６が、照明装置４００における射出端面２１および保持部材４６と同等に機能する。
【００６３】
図６−１および図６−２は、それぞれ図５−１および図５−２に対応し、標本１上の点Ｏを所定の照明ＮＡで照明する光束を示す図であって、図６−１は、最大照明ＮＡとした状態の照明装置５００を示し、図６−２は、照明ＮＡを最大照明ＮＡから絞った状態の照明装置５００を示す図である。これより、照明装置５００では、図５−１および図５−２に示した照明装置４００と同様に、発光面３１を照明レンズ１２’から距離Ｌの位置に設置した場合に発光面３１全面からの光によって最大照明ＮＡの照明を行うことができ、この状態から発光面３１を調整範囲内の任意の距離Ｌ’の位置に移動することによって、照明ＮＡを絞った照明を行うことができる。また、照明ＮＡを絞った場合でも、発光面３１全面からの光によって照明を行うことができ、照明ＮＡによらず発光面３１から発せられる照明光を効率的に利用できる。
【００６４】
また、照明装置５００では、照明装置１００に対して照明装置４００と同等の効果を奏するとともに、光源にＬＥＤ３２を用いることで、省スペース化および軽量化および低消費電力化を一層促進させることができるという効果を奏する。
【００６５】
なお、本実施の形態２では、照明レンズ１２’を固定配置して光源としての射出端面２１または発光面３１を光軸方向に移動自在に配設することとしたが、照明レンズ１２’に替えて照明レンズ１２を用い、光源と照明レンズ１２とをともに光軸方向に移動自在に構成してもよい。この場合、光源と照明レンズ１２とを相対移動させて瞳面３ａ上の光源像の結像倍率を変化させるとともに、光源と照明レンズ１２とを等しく移動させることによって、光源と瞳面３ａとの共役関係を維持し、光源像を常に瞳面３ａ上に鮮鋭に結像させることができる。また、例えば光源と照明レンズとの一方を光軸距離の粗調整用として機能させ、他方を微調整用として機能させることもできる。
【００６６】
（実施の形態３）
つぎに、本発明の実施の形態３にかかる照明装置および顕微鏡について説明する。上述した実施の形態１および２では、照明レンズが光源からの照明光を直接受光して、対物レンズの瞳面上に光源像を結像するようにしていたが、本実施の形態３では、照明レンズが開口絞り状に形成された１次光源像を介して照明光を受光し、対物レンズの瞳面上に２次光源像を結像するようにしている。
【００６７】
図７−１は、本実施の形態３にかかる照明装置６００と、この照明装置６００を備えた顕微鏡との概要構成を示す模式図である。図７−１に示すように、照明装置６００は、上述した照明装置１００をもとに、投光管本体５に替えて投光管本体６５を備え、投光管本体６５は、ランプハウス８および光源１１に替えてランプハウス６８および光源１１’を備えるとともに、コリメートレンズ１４、集光レンズ１５および開口絞り１６を新たに備える。その他の構成は、実施の形態１と同じであり、同一構成部分には同一符号を付している。
【００６８】
光源１１’は、光源１１と同様にランプの発光部であって、投光管本体６５の後端部に取り付けられたランプハウス６８内に保持されている。コリメートレンズ１４は、光源１１’が発した照明光を平行光束に変換し、集光レンズ１５は、コリメートレンズ１４からの平行光束を、所定の絞り径を有した固定絞りとしての開口絞り１６上に集光して、光源１１’の１次光源像を結像する。照明レンズ１２は、開口絞り１６上に結像された１次光源像からの照明光を瞳面３ａ上に集光して、光源１１’の２次光源像を結像する。この２次光源像は、開口絞り１６の絞り径に応じた絞り像によって、その大きさが制限されている。２次光源像からの照明光は、対物レンズ３を介して標本１に均一にケーラー照明される。
【００６９】
照明レンズ１２は、光軸方向に連続的に移動され、開口絞り１６すなわち１次光源像から照明レンズ１２に至る光軸距離が変更された場合、変更された光軸距離に応じて２次光源像の結像倍率を変化させる。この結像倍率は、開口絞り１６から照明レンズ１２に至る光軸距離が短く設定された場合に高倍率とされ、長く設定された場合に低倍率とされる。
【００７０】
なお、照明装置６００の照明光学系中には、照明光学系１００と同様に、図示しない波長選択フィルタが配設されており、この波長選択フィルタによって、紫外光等の所定の波長域の照明光が抽出される。また、この照明光学系は、光源１１’から照明レンズ１２に至る光路中、好ましくは光源１１’から開口絞り１６に至る光路中に拡散板等の拡散部材を備えることができ、この拡散部材によって標本１をより均一に照明することができる。
【００７１】
ここで、照明装置６００における照明ＮＡの調整機能について、図７−１および図７−２を参照して説明する。図７−１は、最大照明ＮＡとした状態の照明装置６００を示し、図７−２は、照明ＮＡを最大照明ＮＡから絞った状態の照明装置６００を示している。
【００７２】
図７−１では、照明レンズ１２は、可動範囲内で光源側に移動されており、開口絞り１６から照明レンズ１２に至る光軸距離が距離Ｌに設定されている。このとき、照明レンズ１２は、可動範囲内における所定の最大結像倍率で光源１１’の２次光源像を瞳面３ａ上に結像する。すなわち、図７−１内の対物レンズ３の拡大図に示すように、瞳面３ａ上に瞳外径φとほぼ等しい光束径で照明光束ＩＬ０’を入射させ、瞳外径φとほぼ等しい大きさの２次光源像ＳＩ０’（斜線部）を形成する。これによって照明装置６００は、対物レンズ３が有する最大ＮＡと等しい最大照明ＮＡで標本１をケーラー照明する。
【００７３】
一方、図７−２では、照明レンズ１２は、図７−１に示す状態から可動範囲内でハーフミラー１３側に移動されており、開口絞り１６から照明レンズ１２に至る光軸距離が距離Ｌ’（＞Ｌ）に設定されている。このとき、照明レンズ１２は、最大結像倍率より低倍の距離Ｌ’に応じた結像倍率で光源１１’の２次光源像を、瞳面３ａより光源に近い位置（図７−２では、対物レンズ３の胴付面３ｂの近傍）に結像する。そして、図７−２内の対物レンズ３の拡大図に示すように、瞳面３ａ上に瞳外径φより小さい光束径φ’で照明光ＩＬ１’を入射させ、瞳外径φより小さいデフォーカスした２次光源像ＳＩ１’（斜線部）を形成する。これによって照明装置６００は、最大照明ＮＡより小さい光束径φ’に応じた照明ＮＡで標本１をケーラー照明する。
【００７４】
より具体的には、例えば対物レンズ３が倍率１００倍のレンズであって瞳外径φ＝３ｍｍを有し、開口絞り１６の絞り径が０．４ｍｍであって、照明レンズ１２が開口絞り１６から距離Ｌの位置に設置された場合、倍率７．５倍で直径３ｍｍの２次光源像ＳＩ０’が瞳面３ａ上に結像される。また、照明レンズ１２が開口絞り１６から距離Ｌ’の位置に設置された場合、倍率６倍で直径約２．４ｍｍのデフォーカスした２次光源像ＳＩ１’が瞳面３ａ上に形成される。これによって照明装置６００は、照明ＮＡを最大照明ＮＡに対して約５／６（＝２．４／３）倍に絞ることができる。
【００７５】
このようにして照明装置６００では、照明レンズ１２を光軸方向に移動させ、開口絞り１６から照明レンズ１２に至る光軸距離を可動範囲内で連続的に変化させ、光軸距離に応じた結像倍率で光源１１’の２次光源像を瞳面３ａ上に結像することができ、結像した２次光源像の大きさに応じた照明ＮＡで標本１をケーラー照明することができる。なお、照明レンズ１２の可動範囲と、可動範囲に対応する最大および最小結像倍率と、可動範囲に応じた調整可能範囲における最大および最小照明ＮＡとは、設計値として任意に設定することができる。
【００７６】
また、照明装置６００では、図７−１および図７−２に示したように、調整可能範囲内の任意の照明ＮＡにおいて、光源１１’から開口絞り１６の絞り径に対応する所定の放射角内に発せられた照明光を制限することなくすべて瞳面３ａ上に入射させ、標本１に照射させることができる。つまり、照明装置６００では、照明ＮＡを絞った場合でも、最大照明ＮＡと等しい光量で標本１を照明することができ、照明ＮＡによらず光源１１’が発する照明光を効率的に利用することができる。
【００７７】
なお、照明レンズ１２の入射面の有効径は、照明レンズ１２を可動範囲内で開口絞り１６から最も離れた位置に設置し照明ＮＡを最小照明ＮＡに設定した場合に、最大照明ＮＡに応じた放射角内に発せられた照明光を制限しない大きさに設定されている。
【００７８】
つぎに、図８−１および図８−２を参照して、照明装置６００における照明ＮＡの調整機能を、開口絞り１６の絞り径と照明ＮＡとの対応関係から説明する。図８−１および図８−２は、標本１における光軸上の点Ｏを所定の照明ＮＡで照明する光束を示す図であって、図８−１は、照明レンズ１２を開口絞り１６から距離Ｌの位置に設置して最大照明ＮＡとした状態の照明装置６００を示し、図８−２は、照明レンズ１２を距離Ｌ’の位置に設置して照明ＮＡを最大照明ＮＡから絞った状態の照明装置６００を示している。なお、図８−２では、最大照明ＮＡに対応する光束を破線で示している。
【００７９】
図８−１において、照明光束を標本１から逆追跡すると、点Ｏから最大照明ＮＡで対物レンズ３に入射した光束ＩＦ０は、瞳外径φとほぼ等しい光束径で瞳面３ａを通過し、ハーフミラー１３で反射して照明レンズ１２に入射し、照明レンズ１２の後側焦点ＦＰに集光された後、開口絞り１６に到達する。このとき、光束ＩＦ０は、開口絞り１６上で絞り径とほぼ等しい大きさの光束径となる。これより、最大照明ＮＡに対応した光束ＩＦ０は、開口絞り１６の絞り開口全面から射出する光によって満たされることがわかる。
【００８０】
図８−２において、同様に照明光束を標本１から逆追跡すると、距離Ｌ’に応じた照明ＮＡで点Ｏから対物レンズ３に入射した光束ＩＦ１は、瞳外径φより小さい２次光源像ＳＩ１’とほぼ等しい大きさの光束径で瞳面３ａを通過し、ハーフミラー１３で反射して照明レンズ１２に入射し、照明レンズ１２の後側焦点ＦＰに集光された後、開口絞り１６に到達する。このとき、光束ＩＦ１は、開口絞り１６上で絞り径とほぼ等しい大きさの光束径となる。これより、距離Ｌ’による照明ＮＡに対応した光束ＩＦ１は、開口絞り１６の絞り開口全面から射出する光によって満たされることがわかる。
【００８１】
一方、点Ｏから最大照明ＮＡで対物レンズ３に入射した光束ＩＦ０’は、光束ＩＦ１と同様にして開口絞り１６に到達し、ここで絞り径より大きな光束径となる。これより、最大照明ＮＡに対応した光束ＩＦ０’は、絞り開口全面から射出する光によって満たされず、光束周縁部には光が供給されないことがわかる。図８−２では、光束ＩＦ１より外側の光束周縁部（斜線部）に光が供給されず、照明光束が光束ＩＦ１に絞られている。
【００８２】
このように、照明装置６００では、照明レンズ１２を開口絞り１６から距離Ｌの位置に設置した場合に絞り開口全面からの光によって最大照明ＮＡの照明を行うことができ、この状態から照明レンズ１２を調整範囲内の任意の距離Ｌ’の位置に移動することによって、従来技術にかかる開口絞りを絞った場合と同様に、照明ＮＡを絞った照明を行うことができる。また、開口絞りを絞った場合と異なり、照明ＮＡを絞った場合でも、絞り開口全面からの光によって照明を行うことができ、光源１１’が発する照明光を効率的に利用できる。
【００８３】
以上説明したように、本実施の形態３にかかる照明装置６００および顕微鏡では、対物レンズ３の瞳面３ａの近傍に光源１１’の２次光源像を結像する照明レンズ１２を光軸方向に移動自在に配設し、絞り開口上に光源１１’の１次光源像が結像された開口絞り１６から照明レンズ１２に至る光軸距離を連続的に変化させることによって、開口絞り１６を通過した照明光を制限して照明光量を低減させることなく照明ＮＡを連続的に変化させることができ、標本１の観察に対して常に最適な照明ＮＡを設定することができる。
【００８４】
また、照明装置６００では、開口絞り１６が固定絞りであって絞り開閉機構等を設ける必要がないため、可変絞りとする開口絞りを設けた従来技術にかかる構成に比して、開口絞り１６周辺の省スペース化を促進させることができ、全体として簡易かつ小型な構成によって照明ＮＡが可変な照明装置を実現することができる。また、このような照明装置を備えた顕微鏡全体でも、省スペース化、構成部品の配置自由度の向上、コスト低減等を実現することができる。
【００８５】
なお、本発明は、上述した実施の形態に限らず、本発明の趣旨を逸脱しない範囲であれば、種々の変形が可能である。例えば、上述した実施の形態１〜３では、本発明にかかる照明装置を、対物レンズ３を介して標本１を照明する落射照明装置として説明したが、ステージ２に対して対物レンズ３と反対側に集光レンズとしてのコンデンサレンズを設け、このコンデンサレンズを介して標本１を照明する透過照明装置とすることもできる。また、上述した実施の形態１〜３では、本発明にかかる照明装置を、正立型の顕微鏡に搭載するものとして説明したが、倒立型の顕微鏡に搭載して適用することもできる。
【図面の簡単な説明】
【００８６】
【図１−１】本発明の実施の形態１にかかる照明装置および顕微鏡の概要構成を示す図である。
【図１−２】図１−１に示した照明装置の照明ＮＡを絞った状態を示す図である。
【図２−１】図１−１に示した照明装置の照明ＮＡと光源径との対応関係を示す図である。
【図２−２】図２−１に示した照明装置の照明ＮＡを絞った状態を示す図である。
【図３−１】本発明の実施の形態１にかかる照明装置および顕微鏡の変形例１の概要構成を示す図である。
【図３−２】図３−１に示した照明装置の照明ＮＡを絞った状態を示す図である。
【図４−１】本発明の実施の形態１にかかる照明装置および顕微鏡の変形例２の概要構成を示す図である。
【図４−２】図４−１に示した照明装置の照明ＮＡを絞った状態を示す図である。
【図５−１】本発明の実施の形態２にかかる照明装置および顕微鏡の概要構成を示す図である。
【図５−２】図５−１に示した照明装置の照明ＮＡを絞った状態を示す図である。
【図６−１】本発明の実施の形態２にかかる照明装置および顕微鏡の変形例の概要構成を示す図である。
【図６−２】図６−１に示した照明装置の照明ＮＡを絞った状態を示す図である。
【図７−１】本発明の実施の形態３にかかる照明装置および顕微鏡の概要構成を示す図である。
【図７−２】図７−１に示した照明装置の照明ＮＡを絞った状態を示す図である。
【図８−１】図７−１に示した照明装置の照明ＮＡと光源径との対応関係を示す図である。
【図８−２】図８−１に示した照明装置の照明ＮＡを絞った状態を示す図である。
【図９】従来技術にかかる顕微鏡の概要構成を示す図である。
【図１０】図９に示した開口絞りの構成を示す図である。
【符号の説明】
【００８７】
１，１０１    標本
２，１０２    ステージ
３，１０３    対物レンズ
３ａ，１０３ａ    瞳面
４，１０４    レボルバ
５，２５，３５，４５，５５，６５，１０５    投光管本体
６，１０６    顕微鏡本体
７    焦準駆動機構
８，６８，１０８    ランプハウス
１１，１１’，１１１    光源
１２，１２’，１１５    照明レンズ
１３，１１６    ハーフミラー
１４，１１２    コリメータレンズ
１５，１１３    集光レンズ
１６，１１４    開口絞り
２１    射出端面
２２    ファイバライトガイド
３１    発光面
３２    ＬＥＤ
４６，５６    保持部材
１００，２００，３００，４００，５００，６００    照明装置
１０７    平面駆動機構
１１７    絞り開閉機構
【図１−１】
2007127816.tif 000003
【図１−２】
2007127816.tif 000004
【図２−１】
2007127816.tif 000005
【図２−２】
2007127816.tif 000006
【図３−１】
2007127816.tif 000007
【図３−２】
2007127816.tif 000008
【図４−１】
2007127816.tif 000009
【図４−２】
2007127816.tif 000010
【図５−１】
2007127816.tif 000011
【図５−２】
2007127816.tif 000012
【図６−１】
2007127816.tif 000013
【図６−２】
2007127816.tif 000014
【図７−１】
2007127816.tif 000015
【図７−２】
2007127816.tif 000016
【図８−１】
2007127816.tif 000017
【図８−２】
2007127816.tif 000018
【図９】
2007127816.tif 000019
【図１０】
2007127816.tif 000020